(57)【要約】      （修正有）【課題】空気が循環され内部湿度が調節される納骨壷を提供すること。【解決手段】外部ボディー３及び表蓋及び裏蓋２に一定の間隔で一対一組の空気孔５を形成し、各ロープ６を上記空気孔５を順次に通過して上記外部ボディー３及び表蓋１及び裏蓋２の内面に水平に展開連結し、上記外部ボディー３及び表蓋１及び裏蓋３のロープ６に各々黄土染色繊維材質の袋７とシートを締結固定し、空気孔を通じて壷内外に空気が循環され、上記空気孔を通過するロープが害虫侵入を防止し外部ボディー及び表蓋及び裏蓋の内面に各々固定される袋とシート８が壷内部の湿度を調節するように構成することによって空気循環及び湿度調節機能を備えた納骨壷を得ることができる。【選択図】図２
2004267775.tif 000002
【特許請求の範囲】
【請求項１】
納骨壷において、
外部ボディー(3)の上部及び底部と表蓋(1)の側部と裏蓋(2)に一対一組の空気孔(5)が水平に一定の間隔で形成され、各々のロープ(6)が上記空気孔(5)を順次に通過して上記外部ボディー(3)及び表蓋(1)及び裏蓋(2)の内面に沿って水平に展開され上記各ロープ(6)の両端部が互いに連結され、上記外部ボディー(3)のロープ(6)に黄土染色繊維材質の袋(7)が締結され上記外部ボディー(3)内部に固定され上記表蓋(1)及び裏蓋(2)のロープ(6)に黄土染色繊維材質のシート(8)が締結され、上記表蓋(1)内部に固定されるように構成されることを特徴とする空気循環及び湿度調節機能を備えた納骨壷。
【請求項２】
第1項において、上記裏蓋(2)の内面には黄土染色繊維材質で堅炭を包装した堅炭包装パック(9)がロープ(6)で締結されていることを特徴とする空気循環及び湿度調節機能を備えた納骨壷。
【発明の詳細な説明】
【技術分野】
【０００１】
本発明は外部ボディーの上部及び底部と表蓋の側部と裏蓋に一対一組の空気孔が水平に一定の間隔で形成され、各々のロープが上記空気孔を順次に通過して上記外部ボディー及び表蓋及び裏蓋の内面に水平に展開され上記各ロープの両端部が互いに連結され、上記外部ボディーのロープに黄土染色繊維材質の袋が締結され上記外部ボディー内部に固定され、上記表蓋及び裏蓋のロープに黄土染色繊維材質のシートが締結され上記表蓋 内部に固定される構成であり、空気孔を通じて壷内外に空気が循環され上記空気孔を通過するロープが害虫の侵入を防止し衝撃を緩和し、上記ロープに締結され外部ボディー及び表蓋及び裏蓋の内面に各々固定される袋とシートが壷 内部の過剰湿気を吸收して湿度を調節するように構成される空気循環及び湿度調節機能を備えた納骨壷に関するものである。
【０００２】
人口の増加と住居環境の変化のため、個人の住居空間が拡大され核家族化社会に転換されるにつれて国土が住居と産業により多く活用され土地に対する需要が増加されるので、広い土地が要求される従来の埋葬文化は制限を受けることになり新たな葬礼文化が発達することになった。これに従い屍身を火葬して粉砕した遺骨を納骨壷に保管して納骨堂に安置する火葬文化が拡散されつつある。
【背景技術】
【０００３】
火葬による遺骨は乾燥の粉末状態であって湿気を容易に吸收し、特に遺骨に含まれたリン酸、カルシウム成分は水分に対する親和力が非常に高いので遺骨を入れて保存する納骨壷の内部に水気が存在する場合遺骨が水気を吸收することになるので腐敗されやすい。
【０００４】
従来の納骨壷は内部ボディーと外部ボディー、裏蓋と表蓋との間に各々空気層が形成される二重構造で成る形態であって、遺骨を入れた内部ボディーを再び外部ボディーに入れて裏蓋と表蓋を順次にカバーし、納骨堂に安置する場合外部ボディーの外部と内部との間の温度偏差が非常に大きくなる。従って、時間が経つにつれて外部ボディーの内部表面に湿気が生じて水滴が雫による結露現状が発生することになり、このような水滴が内部ボディーに保管された遺骨に影響を与えて遺骨が腐敗又は変質され、又悪臭が発生されやすいので遺骨の長期保存が困難であるとの問題点がある。
【発明の開示】
【発明が解決しようとする課題】
【０００５】
本発明の目的は外部ボディーと表蓋と裏蓋に一定の間隔で一対一組の空気孔が形成され、各ロープが上記空気孔を順次に通過して上記外部ボディー及び表蓋及び裏蓋の内面に水平に展開連結され、上記外部ボディー及び表蓋及び裏蓋のロープに各々黄土染色繊維材質の袋とシートが締結固定され空気孔を通じて壷内外に空気が循環され上記空気孔を通過するロープが害虫侵入を防止し、外部ボディー及び表蓋及び裏蓋の内面に各々固定される袋とシートが壷内部の過剰湿気を吸收して湿度を調節する空気循環及び湿度調節機能を備えた納骨壷を提供することにある。
又、納骨壷裏蓋の内面に黄土染色繊維材質で堅炭を包装した堅炭包装パックを金糸からなるロープで締結され、空気孔等から循環される空気を堅炭包装パックにより空気淨化機能と納骨壷内面に発生され得る湿気を調節して遺骨の長期保存を可能にすることにある。
【課題を解決するための手段】
【０００６】
本発明の空気循環及び湿度調節機能を備えた納骨壷は外部ボディー(3)の上部及び底部と表蓋(1)の側部と裏蓋(2)に一対一組の空気孔(5)が水平に一定の間隔で形成され、各々のロープ(6)が上記空気孔(5)を順次に通過して上記外部ボディー(3)及び表蓋(1)及び裏蓋(2)の内面に沿って水平に展開され上記各ロープ(6)の両端部が互いに連結され、上記外部ボディー(3)のロープ(6)に黄土染色繊維材質の袋(7)が締結され上記外部ボディー(3)内部に固定され、上記表蓋(1)及び裏蓋(2)のロープ(6)に黄土染色繊維材質のシート(8)が締結され上記表蓋(1)内部に固定されるように構成される特徴がある。
【０００７】
図１は本発明による納骨壷の外形を示したものであり、図２は本発明による納骨壷の分離斜視構造を示したものであり、図３は本発明による一対一組の空気孔の構造を示したものであり、図４は本発明による納骨壷の縦断面構造を示したものであり、図５は本発明による納骨壷の外部ボディーの平面構造を示したものであり、図６aは本発明による納骨壷裏蓋の表面ロープ設置平面構造を示したものであり、図６bは本発明による納骨壷裏蓋の内面ロープ設置平面構造を示したものである。
【０００８】
断面が円型又は方形形状を成す外部ボディー(3)の上部及び底部に一対一組の空気孔(5)が水平に一定の間隔で形成され、各々のロープ(6)が外部ボディー(3)の上部又は底部の空気孔(5)を順次に通過して上記外部ボディー(3)の内面に水平にかけられて展開され、展開される各ロープ(6)の両端部が互いに括られて連結される。ロープ(6)の大部分を外部ボディー(3)の内面に展開するため空気孔(5)は一対一組で構成され、上記一対一組の空気孔(5)を順次に通過するロープ(6)は空気孔(5)の通気性を適正に維持しながら上記空気孔(5)を通じた害虫の侵入を防止するに好適の直径で構成される又、空気孔(5)を通じて外部ボディー(3)の内面に水平に展開されるロープ(6)は上記外部ボディー(3)と内部ボディー(4)との間を緩衝して破損を防止するように構成される。
【０００９】
外部ボディー(3)の内面に水平に展開されるロープ(6)に黄土染色繊維材質の袋(7)が締結され、上記外部ボディー(3)の内面に固定される。上記袋(7)には外部ボディー(3)の空気孔(5)に対応する一対一組の孔が形成され、上記袋(7)の孔が上記外部ボディー(3)の内面に水平に展開されるロープに締結され、上記袋(7)が上記外部ボディー(3)の内部表面に固定され固定された袋(7)の内部に内部ボディー(4)が收容される。外部ボディー(3)の内部表面に固定される袋(7)は上記外部ボディー(3)内部の過剰湿気を吸收して湿度を一定の範囲内に調節し、内部温度を一定に維持させて納骨壷内外の温度偏差を減少させるように構成される。
【００１０】
表蓋(1)の側部及び裏蓋(2)には一対一組の空気孔(5)が水平に一定の間隔で形成され、各々のロープ(6)が上記一対一組の空気孔(5)を順次に通過して上記表蓋(1)及び裏蓋(2)の内面に水平にかけられて展開され、展開される各ロープ(6)の両端部が互いに括られて連結される。ロープ(6)の大部分を表蓋(1)及び裏蓋(2)の内面に展開するため空気孔(5)は一対一組に構成され、上記一対一組の空気孔(5)を順次に通過するロープ(6)は空気孔(5)の通気性を適正に維持しながら上記空気孔(5)を通じた害虫の侵入を防止するに適当な直径で構成される。又、空気孔(5)を通じて表蓋(1)の内面に水平に展開されるロープ(6)は上記表蓋(1)と裏蓋(2)との間を緩衝して破損を防止するように構成される。
【００１１】
表蓋(1)及び裏蓋(2)の内面に各々展開されるロープ(6)に黄土染色繊維材質のシート(8)が締結され、上記表蓋(1)及び裏蓋(2)の内面に各々固定される。上記各シート(8)には表蓋(1)及び裏蓋(2)の空気孔(5)に対応する一対一組の孔が形成され、上記シート(8)の孔が上記表蓋(8)及び裏蓋(2)の内面に展開されるロープに締結され、上記各シート(8)が上記表蓋(1)及び裏蓋(2)の内部表面に固定される。表蓋(1)及び裏蓋(2)の内部表面に各々固定されるシート(8)は納骨壷内部の過剰湿気を吸收して湿度を一定の範囲内に調節し、内部温度を一定に維持して納骨壷内外の温度偏差を減少させるように構成される。
【００１２】
又、納骨壷裏蓋(2)の内面に黄土染色繊維材質で堅炭を包装した堅炭包装パック(9)を金糸からなるロープ(6)で締結して空気孔(5)等から循環される空気を堅炭包装パック(9)により空気淨化機能と納骨壷内面に発生され得る湿気を調節するようにする。
【００１３】
例え、本発明では吸湿性が優秀で空気淨化效果がある黄土染色繊維材質を適用して袋(7)とシート(8)を構成しているが、必ず黄土染色繊維材質で制限されるものではなく、吸湿性が良好な他の種類の繊維材質を適用して袋(7)とシート(8)を構成することもできる。
【発明の効果】
【００１４】
本発明による空気循環及び湿度調節機能を備えた納骨壷は外部ボディー及び表蓋及び裏蓋に各々一定の間隔で形成される一対一組の空気孔を通じて納骨壷内外に空気が循環され壷内外の温度偏差が減少され、上記空気孔を通過するロープが害虫の侵入を防止し外部ボディーと内部ボディー、表蓋と裏蓋との間を緩衝して納骨壷の破損を防止し、上記ロープに締結され外部ボディー及び表蓋及び裏蓋の内面に各々固定される袋とシートが納骨壷内部の過剰湿気を吸收して湿度を一定の範囲内に調節できて納骨壷に保管された遺骨が腐敗変質されなく遺骨の保存状態が大幅向上される。
【００１５】
又、納骨壷裏蓋の内面に黄土染色繊維材質で堅炭包装パックを締結して堅炭包装パックによる空気淨化機能と納骨壷内面に発生され得る湿気を調節して遺骨の長期保存が可能になる。
【実施例】
【００１６】
本発明を実施例として説明すれば、内部ボディー(4)に遺骨を入れて、上記内部ボディー(4)を黄土染色繊維材質の袋(7)が内蔵された外部ボディー(3)内部に收容し、上記外部ボディー(3)に裏蓋(2)と表蓋(1)を順次にカバーした納骨壷を納骨堂に安置する。
【００１７】
外部ボディー(3)及び表蓋(1)及び裏蓋(2)に各々形成された一対一組の空気孔(5)を通じて納骨壷の内、外に空気が循環されるので壷内外の温度偏差が減少され内部ボディー(4)に收容された遺骨の保存性が大幅向上される。又、納骨壷の内部に存在する過剰の湿気は黄土染色繊維材質の袋(7)とシート(8)にそのまま吸收され、上記袋(7)とシート(8)に吸收された湿気は表蓋(1)と外部ボディー(3)と裏蓋(2)の空気孔(5)を通じて外部に蒸発排出されるので納骨壷内部の湿度が常に一定の範囲内に維持されるので外部ボディー(3)及び表蓋(1)及び裏蓋(2)の内部表面で結露現状が発生されない。外部ボディー(3)及び表蓋(1)及び裏蓋(2)に形成された空気孔(5)には一定の直径のロープ(6)が通過するので空気孔(5)に適正な通気性が維持されると共に上記空気孔(5)を通じて納骨壷の内部に害虫が侵入することが極めて困難であり、外部ボディー(3)に内在しているロープ(6)は外部ボディー(3)と内部ボディー(4)との間を緩衝し、表蓋(1)に内在しているロープ(6)は表蓋(1)と裏蓋(2)との間を緩衝して衝撃や取扱い不注意等により納骨壷が破損されることを防止する。
【図面の簡単な説明】
【００１８】
【図１】本発明の納骨壷の外形図
【図２】本発明の納骨壷の分離斜視図
【図３】本発明の空気孔の構造図
【図４】本発明の納骨壷の縦断面図
【図５】本発明の外部ボディーの平面図
【図６】（a）は本発明の納骨壷裏蓋の表面ロープ設置平面図、（b）は本発明の納骨壷裏蓋の内面ロープ設置平面図
【符号の説明】
【００１９】
１      表蓋
２      裏蓋
３      外部ボディー
４      内部ボディー
５      空気孔
６      ロープ
７      袋
８      シート
９      堅炭包装パック
【図１】
2004267775.tif 000003
【図２】
2004267775.tif 000004
【図３】
2004267775.tif 000005
【図４】
2004267775.tif 000006
【図５】
2004267775.tif 000007
【図６】
2004267775.tif 000008